(57)【要約】【課題】１つの部屋に設けた第１暖房放熱体と第２暖房放熱体とを用いて、より快適に、且つより効率良く暖房することが可能であり、熱源機の暖房運転効率をより向上させることができる暖房システムを提供する。【解決手段】熱源機３０と、同じ部屋に設けられた第１暖房放熱体１４及び第２暖房放熱体２４と、運転状態設定手段１１と、を備え、暖房加熱後配管３５と、第１暖房加熱後分岐配管１３と、第２暖房加熱後分岐配管２３と、第１暖房放熱後混合配管１５と、第２暖房放熱後混合配管２５と、暖房放熱後配管３６と、暖房配管分岐手段４５と、暖房配管混合手段４６と、第１暖房バイパス配管６１と、第２暖房バイパス配管６２にて構成される暖房配管経路を備え、第１暖房循環ポンプ４１と、第１開閉弁１２と、第２開閉弁２２と、第１流路切替弁１６と、第２流路切替弁２６と、が設けられている暖房システム。【選択図】図１
2015075319.tif 000002
【特許請求の範囲】
【請求項１】
暖房熱媒を加熱する熱源機と、
前記熱源機との間で循環する暖房熱媒が流通する暖房配管経路で接続された第１暖房放熱体及び第２暖房放熱体と、
前記第１暖房放熱体及び前記第２暖房放熱体の運転状態を利用者が設定可能な運転状態設定手段と、を備えた暖房システムにおいて、
前記第１暖房放熱体と前記第２暖房放熱体は同じ部屋に設置されており、
前記暖房配管経路は、
前記熱源機から吐出された暖房熱媒を暖房配管分岐手段に流入する暖房加熱後配管と、
前記暖房配管分岐手段にて分岐されて吐出された暖房熱媒を前記第１暖房放熱体に流入する第１暖房加熱後分岐配管と、
前記暖房配管分岐手段にて分岐されて吐出された暖房熱媒を前記第２暖房放熱体に流入する第２暖房加熱後分岐配管と、
前記第１暖房放熱体から吐出された暖房熱媒を暖房配管混合手段に流入する第１暖房放熱後混合配管と、
前記第２暖房放熱体から吐出された暖房熱媒を暖房配管混合手段に流入する第２暖房放熱後混合配管と、
前記暖房配管混合手段にて混合されて吐出された暖房熱媒を前記熱源機に流入する暖房放熱後配管と、
前記第１暖房放熱後混合配管のいずれかの位置と前記第２暖房加熱後分岐配管のいずれかの位置とに接続された第１暖房バイパス配管と、
前記第２暖房放熱後混合配管のいずれかの位置と前記第１暖房加熱後分岐配管のいずれかの位置とに接続された第２暖房バイパス配管と、
前記暖房配管分岐手段と、
前記暖房配管混合手段と、
にて構成されており、
前記熱源機には、暖房熱媒を循環させる第１暖房循環ポンプが設けられており、
前記第１暖房加熱後分岐配管における前記暖房配管分岐手段が接続されている個所から前記第２暖房バイパス配管が接続されている個所までに至るいずれかの位置には、当該第１暖房加熱後分岐配管を閉鎖状態あるいは開口状態に切り替え可能な第１開閉弁が設けられており、
前記第２暖房加熱後分岐配管における前記暖房配管分岐手段が接続されている個所から前記第１暖房バイパス配管が接続されている個所までに至るいずれかの位置には、当該第２暖房加熱後分岐配管を閉鎖状態あるいは開口状態に切り替え可能な第２開閉弁が設けられており、
前記第１暖房放熱後混合配管と前記第１暖房バイパス配管とが接続されている個所には、前記第１暖房放熱後混合配管から流入された暖房熱媒を前記第１暖房バイパス配管に向けて吐出するように、あるいは前記第１暖房放熱後混合配管から流入された暖房熱媒を前記暖房配管混合手段に向けて吐出するように、切り替え可能な第１流路切替弁が設けられており、
前記第２暖房放熱後混合配管と前記第２暖房バイパス配管とが接続されている個所には、前記第２暖房放熱後混合配管から流入された暖房熱媒を前記第２暖房バイパス配管に向けて吐出するように、あるいは前記第２暖房放熱後混合配管から流入された暖房熱媒を前記暖房配管混合手段に向けて吐出するように、切り替え可能な第２流路切替弁が設けられている、
暖房システム。
【請求項２】
請求項１に記載の暖房システムであって、
前記暖房放熱後配管あるいは前記暖房加熱後配管のいずれかの位置に、前記第１暖房循環ポンプに加えて暖房熱媒を循環させる第２暖房循環ポンプが設けられている、
あるいは、前記暖房放熱後配管のいずれかの位置と前記暖房加熱後配管のいずれかの位置とに接続された第３暖房バイパス配管を備え、前記第３暖房バイパス配管には、前記暖房放熱後配管からの暖房熱媒の少なくとも一部を前記暖房加熱後配管に導くことが可能な第３暖房循環ポンプが設けられている、
暖房システム。
【請求項３】
請求項１または２に記載の暖房システムであって、
前記第１暖房放熱後混合配管における前記第１暖房放熱体と前記第１流路切替弁の間のいずれかの位置、あるいは前記第２暖房放熱後混合配管における前記第２暖房放熱体と前記第２流路切替弁の間のいずれかの位置、の少なくとも一方には、第１温度検出手段が設けられており、
前記第１開閉弁と前記第２開閉弁と前記第１流路切替弁と前記第２流路切替弁は、前記第１温度検出手段にて検出された暖房熱媒の温度に基づいた温度条件に応じて制御される、
暖房システム。
【請求項４】
請求項１または２に記載の暖房システムであって、
前記第１暖房加熱後分岐配管における前記第１開閉弁と前記第１暖房放熱体の間のいずれかの位置、あるいは前記第２暖房加熱後分岐配管における前記第２開閉弁と前記第２暖房放熱体の間のいずれかの位置、の少なくとも一方には、第２温度検出手段が設けられており、
前記第１開閉弁と前記第２開閉弁と前記第１流路切替弁と前記第２流路切替弁は、前記第２温度検出手段にて検出された暖房熱媒の温度に基づいた温度条件に応じて制御される、
暖房システム。
【請求項５】
請求項１または２に記載の暖房システムであって、
前記熱源機の内部あるいは前記熱源機の外部の少なくとも一方には、外気温度を検出可能な第３温度検出手段が設けられており、
前記第１開閉弁と前記第２開閉弁と前記第１流路切替弁と前記第２流路切替弁は、前記第３温度検出手段にて検出された外気温度に基づいた温度条件に応じて制御される、
暖房システム。
【請求項６】
請求項１または２に記載の暖房システムであって、
前記第１暖房放熱体の暖房運転と前記第２暖房放熱体の暖房運転を行う場合、
第１所定時間毎に、第１直列暖房運転と第２直列暖房運転とを交互に切り替えながら暖房し、
前記第１直列暖房運転では、
前記第１開閉弁は、開状態に制御され、
前記第２開閉弁は、閉状態に制御され、
前記第１流路切替弁は、前記第１暖房放熱後混合配管からの暖房熱媒を前記第１暖房バイパス配管に向けて吐出する側に制御され、
前記第２流路切替弁は、前記第２暖房放熱後混合配管からの暖房熱媒を前記暖房配管混合手段に向けて吐出する側に制御され、
前記第２直列暖房運転では、
前記第１開閉弁は、閉状態に制御され、
前記第２開閉弁は、開状態に制御され、
前記第１流路切替弁は、前記第１暖房放熱後混合配管からの暖房熱媒を前記暖房配管混合手段に向けて吐出する側に制御され、
前記第２流路切替弁は、前記第２暖房放熱後混合配管からの暖房熱媒を前記第２暖房バイパス配管に向けて吐出する側に制御される、
暖房システム。
【請求項７】
請求項６に記載の暖房システムであって、
前記第１暖房放熱体の暖房運転と前記第２暖房放熱体の暖房運転を開始してから第２所定時間に達するまでの間は、並列暖房運転にて暖房を行い、前記第２所定時間を経過後は、前記第１所定時間毎に、前記第１直列暖房運転と前記第２直列暖房運転とを交互に切り替えながら暖房し、
前記並列暖房運転では、
前記第１開閉弁は、開状態に制御され、
前記第２開閉弁は、開状態に制御され、
前記第１流路切替弁は、前記第１暖房放熱後混合配管からの暖房熱媒を前記暖房配管混合手段に向けて吐出する側に制御され、
前記第２流路切替弁は、前記第２暖房放熱後混合配管からの暖房熱媒を前記暖房配管混合手段に向けて吐出する側に制御される、
暖房システム。
【請求項８】
請求項１〜７のいずれか一項に記載の暖房システムであって、
前記熱源機は、前記第１開閉弁と前記第２開閉弁を制御可能な熱源機制御手段を備えており、
前記熱源機制御手段と前記運転状態設定手段との間の通信情報の送受信を中継する流路切替制御手段を備え、
前記流路切替制御手段は、中継した通信情報に基づいて、前記第１流路切替弁と前記第２流路切替弁を制御する、
暖房システム。
【請求項９】
請求項１〜７のいずれか一項に記載の暖房システムであって、
前記熱源機は、前記第１開閉弁と前記第２開閉弁を制御可能な熱源機制御手段を備えており、
前記熱源機制御手段と前記運転状態設定手段との間の通信情報の送受信を中継せず、且つ前記熱源機制御手段との間で通信情報を送受信可能な流路切替制御手段を備え、
前記流路切替制御手段は、受信した通信情報に基づいて、前記第１流路切替弁と前記第２流路切替弁を制御する、
暖房システム。
【請求項１０】
請求項８または９に記載の暖房システムであって、
前記熱源機制御手段から前記第１開閉弁を制御可能な第１開閉弁制御配線及び前記第２開閉弁を制御可能な第２開閉弁制御配線は、前記第１開閉弁及び前記第２開閉弁に接続されることなく前記流路切替制御手段に入力されており、
前記流路切替制御手段は、
前記第１開閉弁と前記第２開閉弁と前記第１流路切替弁と前記第２流路切替弁を制御可能であり、
前記第１開閉弁制御配線からの制御信号と、前記第２開閉弁制御配線からの制御信号と、中継あるいは受信した通信情報と、に基づいて、前記第１開閉弁と前記第２開閉弁と前記第１流路切替弁と前記第２流路切替弁を制御する、
暖房システム。
【発明の詳細な説明】
【技術分野】
【０００１】
本発明は、暖房システムに関する。
【背景技術】
【０００２】
従来、特許文献１には、燃焼熱源機や電気ヒートポンプ等を熱源機として暖房熱媒を加熱し、一方の暖房放熱体（この場合、部屋の中央部の床暖房パネル）に流通させた後の暖房熱媒を、他方の暖房放熱体（この場合、部屋の周辺部の床暖房パネル）に流通させることで部屋内の暖房を快適に行う床暖房設備（暖房システムに相当）が開示されている。
特許文献１では、図１３に示すように、部屋１１０の中央部に敷設された第１暖房放熱体１１４と、部屋１１０の周辺部に敷設された第２暖房放熱体１２４と、を有している。
そして第１暖房放熱体１１４には、熱源機１３０にて加熱された暖房熱媒を流入させるための暖房加熱後配管１３５の一方端が接続され、放熱後の暖房熱媒を吐出させるための暖房放熱後混合配管１１５の一方端が接続されている。
また第２暖房放熱体１２４には、暖房熱媒を流入させるための熱媒流入配管１２３の一方端が接続され、放熱後の暖房熱媒を吐出させるための熱媒流出混合配管１２５の一方端が接続されている。
そして暖房放熱後混合配管１１５の他方端は流路切替弁１１６を介して混合手段１４６に接続され、熱媒流出混合配管１２５の他方端は混合手段１４６に接続されている。
また混合手段１４６からの出力である暖房放熱後配管１３６は熱源機１３０に接続され、暖房加熱後配管１３５の他方端は熱源機１３０に接続されている。
また暖房放熱後混合配管１１５のいずれかの位置には流路切替弁１１６が設けられており、熱媒流入配管１２３の他方端は流路切替弁１１６に接続されている。流路切替弁１１６は、暖房放熱後混合配管１１５から流入する暖房熱媒を、混合手段１４６に向けて吐出するか、熱媒流入配管１２３に向けて吐出するか、のいずれかに流路を切り替える。
また暖房加熱後配管１３５のいずれかの位置には流路開閉弁１１２が設けられている。
また暖房循環ポンプ１４１が、熱源機１３０に設けられている。
【０００３】
熱源機制御手段１３１は、暖房循環ポンプ１４１を駆動することで暖房熱媒を循環させ、流路開閉弁１１２を開状態に制御することで第１暖房放熱体１１４へ暖房熱媒を流入させる。また熱源機制御手段１３１は、流路切替弁１１６を制御することで、第１暖房放熱体１１４にて放熱後の暖房熱媒を、混合手段１４６を経由させて熱源機１３０に戻すか、あるいは第２暖房放熱体１２４に流入させて放熱させた後で混合手段１４６を経由させて熱源機１３０に戻すか、いずれかの経路にすることが可能である。
すなわち、図１３に示す特許文献１の構成では、第１暖房放熱体１１４のみを暖房運転すること、または第１暖房放熱体１１４と第２暖房放熱体１２４を直列に暖房運転（第１暖房放熱体に先に暖房熱媒を流通）すること、の２通りの暖房運転が可能である。しかし図１３に示す特許文献１の構成では、第１暖房放熱体１１４と第２暖房放熱体１２４を並列に暖房運転することはできない。
【先行技術文献】
【特許文献】
【０００４】
【特許文献１】特許第４０６３７５６号公報
【発明の概要】
【発明が解決しようとする課題】
【０００５】
図１３に示す特許文献１に記載された暖房システムでは、暖房熱媒は第１部屋１１０の中央部に敷設された第１暖房放熱体１１４にて放熱した後で熱源機１３０に戻される場合が有るが、近年の高気密高断熱住宅では、それ以前の住宅と比較して第１部屋１１０の暖房負荷が小さくなるため、暖房熱媒が放熱後に熱源機１３０に戻る際の暖房熱媒の温度が高くなる傾向にある。この結果、熱源機１３０の加熱による暖房熱媒の温度上昇及び熱源機１３０の出力が小さくなり、熱源機１３０の暖房運転効率が低下する傾向にある。
また、部屋の中央部を暖房する第１暖房放熱体１１４は、すでに数種類の製品が実用化されているが、部屋の周辺部を暖房する第２暖房放熱体１２４は、新たな専用品として設計する必要があるので、開発期間と手間がかかる。
また近年では、リビングとダイニングを１つの部屋としている場合があり、このような場合は、部屋の中央部を暖房するために設計された暖房放熱体を２つ用意して、リビングのエリアと、ダイニングのエリアとを、それぞれ暖房できるようにすると、効率的な暖房を行うことが期待できる。
しかし、図１３に示す特許文献１の構成において、例えば第１暖房放熱体１１４をリビングに配置し、第２暖房放熱体１２４をダイニングに配置すると、ダイニングのみを暖房することができない。この場合では、ダイニングの暖房は、リビングを暖房している場合にしか行うことができず、ダイニングの単独暖房を所望する利用者の要求に応えることができない。
また、図１３に示す特許文献１の構成では、第１暖房放熱体１１４と第２暖房放熱体１２４を並列に暖房運転することができないので、外気温度が著しく低下して第１部屋１１０の暖房負荷が非常に大きくなった場合、第１暖房放熱体１１４と第２暖房放熱体１２４を直列に暖房運転（第１暖房放熱体に先に暖房熱媒を流通）した際、第２暖房放熱体での暖房を充分に行うことができない可能性がある。
本発明は、このような点に鑑みて創案されたものであり、１つの部屋に設けた第１暖房放熱体と第２暖房放熱体とを用いて、より快適に、且つより効率良く暖房することが可能であり、熱源機の暖房運転効率をより向上させることができる暖房システムを提供することを課題とする。
【課題を解決するための手段】
【０００６】
上記課題を解決するため、本発明に係る暖房システムは次の手段をとる。
まず、本発明の第１の発明は、暖房熱媒を加熱する熱源機と、前記熱源機との間で循環する暖房熱媒が流通する暖房配管経路で接続された第１暖房放熱体及び第２暖房放熱体と、前記第１暖房放熱体及び前記第２暖房放熱体の運転状態を利用者が設定可能な運転状態設定手段と、を備えた暖房システムにおいて、前記第１暖房放熱体と前記第２暖房放熱体は同じ部屋に設置されている。
前記暖房配管経路は、前記熱源機から吐出された暖房熱媒を暖房配管分岐手段に流入する暖房加熱後配管と、前記暖房配管分岐手段にて分岐されて吐出された暖房熱媒を前記第１暖房放熱体に流入する第１暖房加熱後分岐配管と、前記暖房配管分岐手段にて分岐されて吐出された暖房熱媒を前記第２暖房放熱体に流入する第２暖房加熱後分岐配管と、前記第１暖房放熱体から吐出された暖房熱媒を暖房配管混合手段に流入する第１暖房放熱後混合配管と、前記第２暖房放熱体から吐出された暖房熱媒を暖房配管混合手段に流入する第２暖房放熱後混合配管と、前記暖房配管混合手段にて混合されて吐出された暖房熱媒を前記熱源機に流入する暖房放熱後配管と、前記第１暖房放熱後混合配管のいずれかの位置と前記第２暖房加熱後分岐配管のいずれかの位置とに接続された第１暖房バイパス配管と、前記第２暖房放熱後混合配管のいずれかの位置と前記第１暖房加熱後分岐配管のいずれかの位置とに接続された第２暖房バイパス配管と、前記暖房配管分岐手段と、前記暖房配管混合手段と、にて構成されている。
そして、前記熱源機には、暖房熱媒を循環させる第１暖房循環ポンプが設けられており、前記第１暖房加熱後分岐配管における前記暖房配管分岐手段が接続されている個所から前記第２暖房バイパス配管が接続されている個所までに至るいずれかの位置には、当該第１暖房加熱後分岐配管を閉鎖状態あるいは開口状態に切り替え可能な第１開閉弁が設けられており、前記第２暖房加熱後分岐配管における前記暖房配管分岐手段が接続されている個所から前記第１暖房バイパス配管が接続されている個所までに至るいずれかの位置には、当該第２暖房加熱後分岐配管を閉鎖状態あるいは開口状態に切り替え可能な第２開閉弁が設けられている。
また、前記第１暖房放熱後混合配管と前記第１暖房バイパス配管とが接続されている個所には、前記第１暖房放熱後混合配管から流入された暖房熱媒を前記第１暖房バイパス配管に向けて吐出するように、あるいは前記第１暖房放熱後混合配管から流入された暖房熱媒を前記暖房配管混合手段に向けて吐出するように、切り替え可能な第１流路切替弁が設けられており、前記第２暖房放熱後混合配管と前記第２暖房バイパス配管とが接続されている個所には、前記第２暖房放熱後混合配管から流入された暖房熱媒を前記第２暖房バイパス配管に向けて吐出するように、あるいは前記第２暖房放熱後混合配管から流入された暖房熱媒を前記暖房配管混合手段に向けて吐出するように、切り替え可能な第２流路切替弁が設けられている。
【０００７】
この第１の発明では、図１に示すように、第１開閉弁と第２開閉弁と第１流路切替弁と第２流路切替弁とを用いて、熱源機と第１暖房放熱体と第２暖房放熱体を適切な配管で接続する。
第１の発明の構成を有することで、同じ部屋に設けた第１暖房放熱体と第２暖房放熱体に対して以下の５通りの暖房運転を行うことが可能となる。
（１）第１暖房放熱体のみの暖房運転。
（２）第２暖房放熱体のみの暖房運転。
（３）熱源機に対して、第１暖房放熱体と第２暖房放熱体を並列に接続した暖房運転（並列暖房運転）。
（４）熱源機に対して、第１暖房放熱体と第２暖房放熱体を直列に接続した暖房運転であって、先に第１暖房放熱体に暖房熱媒を流通させる暖房運転（第１直列暖房運転）。
（５）熱源機に対して、第２暖房放熱体と第１暖房放熱体を直列に接続した暖房運転であって、先に第２暖房放熱体に暖房熱媒を流通させる暖房運転（第２直列暖房運転）。
これにより、１つの部屋に設けた第１暖房放熱体と第２暖房放熱体とを用いて、それぞれ個別に暖房することや、並列に暖房することや、直列に暖房することが可能となり、利用者の所望する暖房状態に応じて、より快適に、且つより効率良く暖房することが可能であり、熱源機の暖房運転効率をより向上させることができる。
例えば、１つの部屋にリビングとダイニングが有る場合、第１暖房放熱体をリビングに配置し、第２暖房放熱体をダイニングに配置すれば、上記のように、利用者の所望する暖房状態に応じて、より快適に、且つより効率良く暖房することが可能である。
【０００８】
次に、本発明の第２の発明は、上記第１の発明に係る暖房システムであって、前記暖房放熱後配管あるいは前記暖房加熱後配管のいずれかの位置に、前記第１暖房循環ポンプに加えて暖房熱媒を循環させる第２暖房循環ポンプが設けられている。
あるいは、前記暖房放熱後配管のいずれかの位置と前記暖房加熱後配管のいずれかの位置とに接続された第３暖房バイパス配管を備え、前記第３暖房バイパス配管には、前記暖房放熱後配管からの暖房熱媒の少なくとも一部を前記暖房加熱後配管に導くことが可能な第３暖房循環ポンプが設けられている。
【０００９】
この第２の発明によれば、例えば第１暖房放熱体と第２暖房放熱体を、熱源機に対して直列に接続した場合において、暖房熱媒の循環経路が長くなって第１暖房循環ポンプの能力では能力不足となるような場合、第２暖房循環ポンプあるいは第３暖房循環ポンプを第１暖房循環ポンプと同時に使用することで、第１暖房循環ポンプの能力を補うことができる。
【００１０】
次に、本発明の第３の発明は、上記第１の発明または第２の発明に係る暖房システムであって、前記第１暖房放熱後混合配管における前記第１暖房放熱体と前記第１流路切替弁の間のいずれかの位置、あるいは前記第２暖房放熱後混合配管における前記第２暖房放熱体と前記第２流路切替弁の間のいずれかの位置、の少なくとも一方には、第１温度検出手段が設けられており、前記第１開閉弁と前記第２開閉弁と前記第１流路切替弁と前記第２流路切替弁は、前記第１温度検出手段にて検出された暖房熱媒の温度に基づいた温度条件に応じて制御される。
【００１１】
この第３の発明によれば、第１暖房放熱体と第２暖房放熱体を同時に使用して暖房する場合、第１温度検出手段にて検出した暖房熱媒の温度によって、熱源機に対して第１暖房放熱体と第２暖房放熱体を、並列に接続するべきか、直列に接続（第１暖房放熱体に先に暖房熱媒を流通させる）するべきか、直列に接続（第２暖房放熱体に先に暖房熱媒を流通させる）するべきか、を適切に判断し、第１開閉弁と第２開閉弁と第１流路切替弁と第２流路切替弁を適切に制御することができる。
【００１２】
次に、本発明の第４の発明は、上記第１の発明または第２の発明に係る暖房システムであって、前記第１暖房加熱後分岐配管における前記第１開閉弁と前記第１暖房放熱体の間のいずれかの位置、あるいは前記第２暖房加熱後分岐配管における前記第２開閉弁と前記第２暖房放熱体の間のいずれかの位置、の少なくとも一方には、第２温度検出手段が設けられており、前記第１開閉弁と前記第２開閉弁と前記第１流路切替弁と前記第２流路切替弁は、前記第２温度検出手段にて検出された暖房熱媒の温度に基づいた温度条件に応じて制御される。
【００１３】
この第４の発明によれば、第１暖房放熱体と第２暖房放熱体を同時に使用して暖房する場合、第２温度検出手段にて検出した暖房熱媒の温度によって、熱源機に対して第１暖房放熱体と第２暖房放熱体を、並列に接続するべきか、直列に接続（第１暖房放熱体に先に暖房熱媒を流通させる）するべきか、直列に接続（第２暖房放熱体に先に暖房熱媒を流通させる）するべきか、を適切に判断し、第１開閉弁と第２開閉弁と第１流路切替弁と第２流路切替弁を適切に制御することができる。
【００１４】
次に、本発明の第５の発明は、上記第１の発明または第２の発明に係る暖房システムであって、前記熱源機の内部あるいは前記熱源機の外部の少なくとも一方には、外気温度を検出可能な第３温度検出手段が設けられており、前記第１開閉弁と前記第２開閉弁と前記第１流路切替弁と前記第２流路切替弁は、前記第３温度検出手段にて検出された外気温度に基づいた温度条件に応じて制御される。
【００１５】
この第５の発明によれば、第１暖房放熱体と第２暖房放熱体を同時に使用して暖房する場合、第３温度検出手段にて検出した外気の温度によって、熱源機に対して第１暖房放熱体と第２暖房放熱体を、並列に接続するべきか、直列に接続（第１暖房放熱体に先に暖房熱媒を流通させる）するべきか、直列に接続（第２暖房放熱体に先に暖房熱媒を流通させる）するべきか、を適切に判断し、第１開閉弁と第２開閉弁と第１流路切替弁と第２流路切替弁を適切に制御することができる。
【００１６】
次に、本発明の第６の発明は、上記第１の発明または第２の発明に係る暖房システムであって、前記第１暖房放熱体の暖房運転と前記第２暖房放熱体の暖房運転を行う場合、第１所定時間毎に、第１直列暖房運転と第２直列暖房運転とを交互に切り替えながら暖房する。
そして、前記第１直列暖房運転では、前記第１開閉弁は、開状態に制御され、前記第２開閉弁は、閉状態に制御され、前記第１流路切替弁は、前記第１暖房放熱後混合配管からの暖房熱媒を前記第１暖房バイパス配管に向けて吐出する側に制御され、前記第２流路切替弁は、前記第２暖房放熱後混合配管からの暖房熱媒を前記暖房配管混合手段に向けて吐出する側に制御される。
また、前記第２直列暖房運転では、前記第１開閉弁は、閉状態に制御され、前記第２開閉弁は、開状態に制御され、前記第１流路切替弁は、前記第１暖房放熱後混合配管からの暖房熱媒を前記暖房配管混合手段に向けて吐出する側に制御され、前記第２流路切替弁は、前記第２暖房放熱後混合配管からの暖房熱媒を前記第２暖房バイパス配管に向けて吐出する側に制御される。
【００１７】
この第６の発明によれば、第１暖房放熱体と第２暖房放熱体を同時に使用して暖房する場合、第１暖房放熱体に先に暖房熱媒を流通させる第１直列暖房運転と、第２暖房放熱体に先に暖房熱媒を流通させる第２直列暖房運転と、を第１所定時間毎に交互に切り替えながら暖房することで、熱源機の暖房運転効率をより向上させながら、第１暖房放熱体による暖房エリアと第２暖房放熱体による暖房エリアとを、より均一に暖房することができる。
【００１８】
次に、本発明の第７の発明は、上記第６の発明に係る暖房システムであって、前記第１暖房放熱体の暖房運転と前記第２暖房放熱体の暖房運転を開始してから第２所定時間に達するまでの間は、並列暖房運転にて暖房を行い、前記第２所定時間を経過後は、前記第１所定時間毎に、前記第１直列暖房運転と前記第２直列暖房運転とを交互に切り替えながら暖房する。
そして、前記並列暖房運転では、前記第１開閉弁は、開状態に制御され、前記第２開閉弁は、開状態に制御され、前記第１流路切替弁は、前記第１暖房放熱後混合配管からの暖房熱媒を前記暖房配管混合手段に向けて吐出する側に制御され、前記第２流路切替弁は、前記第２暖房放熱後混合配管からの暖房熱媒を前記暖房配管混合手段に向けて吐出する側に制御される。
【００１９】
この第７の発明によれば、暖房開始時点では第２所定時間が経過するまでは、熱源機に対して第１暖房放熱体と第２暖房放熱体を並列に接続して暖房を行い、第２所定時間が経過後は、第１所定時間毎に、第１直列暖房運転と第２直列暖房運転を交互に切り替えながら暖房する。
これにより、暖房開始時には、第１暖房放熱体と第２暖房放熱体を並列にして暖房することで、より短時間に目標温度まで暖房し、第２所定時間が経過した後は、第６発明の暖房運転を行うことで、効率良く温度を維持することができる。
【００２０】
次に、本発明の第８の発明は、上記第１の発明〜第７の発明のいずれか１つに係る暖房システムであって、前記熱源機は、前記第１開閉弁と前記第２開閉弁を制御可能な熱源機制御手段を備えており、前記熱源機制御手段と前記運転状態設定手段との間の通信情報の送受信を中継する流路切替制御手段を備え、前記流路切替制御手段は、中継した通信情報に基づいて、前記第１流路切替弁と前記第２流路切替弁を制御する。
【００２１】
この第８の発明によれば、通信の中継を行う流路切替制御手段を備えることで、運転状態設定手段からの情報と、熱源機からの情報を、流路切替制御手段に認識させることができるので、流路切替制御手段から第１流路切替弁、第２流路切替弁を、適切に制御することができる。
【００２２】
次に、本発明の第９の発明は、上記第１の発明〜第７の発明のいずれか１つに係る暖房システムであって、前記熱源機は、前記第１開閉弁と前記第２開閉弁を制御可能な熱源機制御手段を備えており、前記熱源機制御手段と前記運転状態設定手段との間の通信情報の送受信を中継せず、且つ前記熱源機制御手段との間で通信情報を送受信可能な流路切替制御手段を備え、前記流路切替制御手段は、受信した通信情報に基づいて、前記第１流路切替弁と前記第２流路切替弁を制御する。
【００２３】
この第９の発明によれば、熱源機制御手段と通信情報を送受信可能な流路切替制御手段を備えることで、熱源機からの情報を、流路切替制御手段に認識させることができるので、流路切替制御手段から第１流路切替弁、第２流路切替弁を、適切に制御することができる。
【００２４】
次に、本発明の第１０の発明は、上記第８の発明または第９の発明に係る暖房システムであって、前記熱源機制御手段から前記第１開閉弁を制御可能な第１開閉弁制御配線及び前記第２開閉弁を制御可能な第２開閉弁制御配線は、前記第１開閉弁及び前記第２開閉弁に接続されることなく前記流路切替制御手段に入力されている。
そして前記流路切替制御手段は、前記第１開閉弁と前記第２開閉弁と前記第１流路切替弁と前記第２流路切替弁を制御可能であり、前記第１開閉弁制御配線からの制御信号と、前記第２開閉弁制御配線からの制御信号と、中継あるいは受信した通信情報と、に基づいて、前記第１開閉弁と前記第２開閉弁と前記第１流路切替弁と前記第２流路切替弁を制御する。
【００２５】
この第１０の発明によれば、流路切替制御手段を用いて、第１流路切替弁と第２流路切替弁を、さらに適切に制御することが可能である。
これにより、第１暖房放熱体と第２暖房放熱体をより効率良く暖房することが可能であり、熱源機の暖房運転効率をより向上させることができる。
【図面の簡単な説明】
【００２６】
【図１】第１の実施の形態の暖房システム１Ａの構成の例を説明する図である。
【図２】第２の実施の形態の暖房システム１Ｂの構成の例を説明する図である。
【図３】第３の実施の形態の暖房システム１Ｃの構成の例を説明する図である。
【図４】第４の実施の形態の暖房システム１Ｄの構成の例を説明する図である。
【図５】第５の実施の形態の暖房システム１Ｅの構成の例を説明する図である。
【図６】第６の実施の形態の暖房システム１Ｆの構成の例を説明する図である。
【図７】第７の実施の形態の暖房システム１Ｇの構成の例を説明する図である。
【図８】第８の実施の形態の暖房システム１Ｈの構成の例を説明する図である。
【図９】第９の実施の形態の暖房システム１Ｊの構成の例を説明する図である。
【図１０】第１０の実施の形態の暖房システム１Ｋの構成の例を説明する図である。
【図１１】第１１の実施の形態の暖房システム１Ｌの構成の例を説明する図である。
【図１２】第１２の実施の形態の暖房システム１Ｍの構成の例を説明する図である。
【図１３】従来の暖房システム１０１の構成の例を説明する図である。
【発明を実施するための形態】
【００２７】
以下に本発明を実施するための形態を図面を用いて説明する。
●［第１の実施の形態の暖房システム１Ａ（図１）］
図１に示すように、第１の実施の形態の暖房システム１Ａは、熱源機３０と、部屋１０に設けられた第１暖房放熱体１４と第２暖房放熱体２４と、運転状態設定手段１１と、各配管（暖房配管経路に相当）にて構成されている。
【００２８】
熱源機３０は、熱源機制御手段３１（熱源機制御装置）と、燃焼加熱手段３２（燃焼加熱器）と、燃焼熱交換器３３と、第１暖房循環ポンプ４１等を有している。
また熱源機３０には、燃料配管３７、暖房放熱後配管３６、暖房加熱後配管３５が接続されている。
燃焼加熱手段３２は、熱源機制御手段３１からの制御信号に基づいて、燃料配管３７から供給されるガス等の燃料を燃焼させる。
また燃焼熱交換器３３は、燃焼加熱手段３２の熱を用いて、暖房放熱後配管３６から流入される暖房熱媒（例えば温水）を加熱する。
また第１暖房循環ポンプ４１は、熱源機制御手段３１からの制御信号に基づいて、暖房放熱後配管３６から暖房熱媒を熱源機３０に流入させ、燃焼熱交換器３３にて加熱した暖房熱媒を暖房加熱後配管３５から吐出するように、暖房熱媒を循環させる。
【００２９】
部屋１０は、例えば、リビング、ダイニング、キッチン、サニタリ、脱衣室、寝室、子供部屋や、リビングとダイニングが一体となった部屋等の暖房対象空間であり、床暖房等の第１暖房放熱体１４と第２暖房放熱体２４が設けられている。つまり、部屋１０内において暖房対象空間が２つの空間に区別され、それぞれの空間に第１暖房放熱体１４と第２暖房放熱体２４が設けられている。例えば、リビングとダイニングが一体となった部屋の場合、リビングに第１暖房放熱体１４が配置され、ダイニングに第２暖房放熱体２４が配置される。
また部屋１０には、第１暖房放熱体１４の運転状態と、第２暖房放熱体２４の運転状態と、を利用者が設定可能な運転状態設定手段１１（暖房コントローラ）が設けられている。
また熱源機制御手段３１は、無線あるいは有線（通信線Ｔ１）にて運転状態設定手段１１と通信可能に接続されており、運転状態設定手段１１との間で情報の送受信が可能である。
【００３０】
暖房配管経路は、暖房加熱後配管３５と、暖房配管分岐手段４５と、第１暖房加熱後分岐配管１３と、第２暖房加熱後分岐配管２３と、第１暖房放熱後混合配管１５と、第２暖房放熱後混合配管２５と、暖房配管混合手段４６と、暖房放熱後配管３６と、第１暖房バイパス配管６１と、第２暖房バイパス配管６２と、にて構成されている。
暖房加熱後配管３５は、熱源機３０の吐出口と、暖房配管分岐手段４５の流入口と、に接続され、熱源機３０から吐出された暖房熱媒を暖房配管分岐手段４５に流入する。
第１暖房加熱後分岐配管１３は、暖房配管分岐手段４５の吐出口と、第１暖房放熱体１４の流入口と、に接続され、暖房配管分岐手段４５にて分岐されて吐出された暖房熱媒を第１暖房放熱体１４に流入する。
第２暖房加熱後分岐配管２３は、暖房配管分岐手段４５の吐出口と、第２暖房放熱体２４の流入口と、に接続され、暖房配管分岐手段４５にて分岐されて吐出された暖房熱媒を第２暖房放熱体２４に流入する。
暖房配管分岐手段４５は、流入された暖房熱媒を複数の経路に吐出する分岐ヘッダであり、暖房加熱後配管３５の他方の側と、第１暖房加熱後分岐配管１３の一方の側と、第２暖房加熱後分岐配管２３の一方の側と、が接続されている。そして暖房配管分岐手段４５は、暖房加熱後配管３５から流入した暖房熱媒を、第１暖房加熱後分岐配管１３と、第２暖房加熱後分岐配管２３と、に吐出する。
【００３１】
第１暖房放熱後混合配管１５は、第１暖房放熱体１４の吐出口と、暖房配管混合手段４６の流入口と、に接続され、第１暖房放熱体１４から吐出された暖房熱媒を暖房配管混合手段４６に流入する。
第２暖房放熱後混合配管２５は、第２暖房放熱体２４の吐出口と、暖房配管混合手段４６の流入口と、に接続され、第２暖房放熱体２４から吐出された暖房熱媒を暖房配管混合手段４６に流入する。
暖房放熱後配管３６は、暖房配管混合手段４６の吐出口と、熱源機３０の流入口と、に接続され、暖房配管混合手段４６から吐出された暖房熱媒を熱源機３０に流入する。
暖房配管混合手段４６は、複数の経路から流入された暖房熱媒を混合して吐出する混合ヘッダであり、第１暖房放熱後混合配管１５の他方の側と、第２暖房放熱後混合配管２５の他方の側と、暖房放熱後配管３６の一方の側と、が接続されている。そして暖房配管混合手段４６は、第１暖房放熱後混合配管１５と第２暖房放熱後混合配管２５とから流入した暖房熱媒を混合して暖房放熱後配管３６に吐出する。
第１暖房バイパス配管６１は、第１暖房放熱後混合配管１５のいずれかの位置と、第２暖房加熱後分岐配管２３のいずれかの位置と、に接続されている。
第２暖房バイパス配管６２は、第２暖房放熱後混合配管２５のいずれかの位置と、第１暖房加熱後分岐配管１３のいずれかの位置と、に接続されている。
【００３２】
また、上記の暖房配管経路上の所定の位置には、以下に説明する第１開閉弁１２、第２開閉弁２２、第１流路切替弁１６、第２流路切替弁２６が設けられている。
第１開閉弁１２は、第１暖房加熱後分岐配管１３における暖房配管分岐手段４５が接続されている個所から第２暖房バイパス配管６２が接続されている個所までに至るいずれかの位置に設けられており、第１暖房加熱後分岐配管１３を閉鎖状態あるいは開口状態に切り替え可能である。
第２開閉弁２２は、第２暖房加熱後分岐配管２３における暖房配管分岐手段４５が接続されている個所から第１暖房バイパス配管６１が接続されている個所までに至るいずれかの位置に設けられており、第２暖房加熱後分岐配管２３を閉鎖状態あるいは開口状態に切り替え可能である。
なお、第１開閉弁１２、第２開閉弁２２は、開状態または閉状態に制御されるバルブ、あるいはデューティ比で開度量が制御されるバルブであり、熱源機制御手段３１からの制御信号に基づいて制御される。
第１流路切替弁１６は、第１暖房放熱後混合配管１５と第１暖房バイパス配管６１とが接続されている個所に設けられており、第１暖房放熱後混合配管１５から流入された暖房熱媒を第１暖房バイパス配管６１へ向けて吐出するように、あるいは第１暖房放熱後混合配管１５から流入された暖房熱媒を暖房配管混合手段４６に向けて吐出するように、切り替え可能である。なお、第１流路切替弁１６は、熱源機制御手段３１からの制御信号に基づいて制御される。
第２流路切替弁２６は、第２暖房放熱後混合配管２５と第２暖房バイパス配管６２とが接続されている個所に設けられており、第２暖房放熱後混合配管２５から流入された暖房熱媒を第２暖房バイパス配管６２へ向けて吐出するように、あるいは第２暖房放熱後混合配管２５から流入された暖房熱媒を暖房配管混合手段４６に向けて吐出するように、切り替え可能である。なお、第２流路切替弁２６は、熱源機制御手段３１からの制御信号に基づいて制御される。
【００３３】
以上の構成により、以下の（１）〜（５）の暖房運転が可能となる。
（１）第１暖房放熱体１４のみを暖房運転。
例えば、利用者は、運転状態設定手段１１を操作して、第１暖房放熱体１４のみの暖房運転の開始と、暖房レベル（強、中、弱や、暖房温度等）を入力指示する。この場合、第２暖房放熱体２４の暖房運転の要求は無い。
上記の入力指示に基づいた運転情報は、運転状態設定手段１１から熱源機制御手段３１に送信される。
例えば、熱源機制御手段３１は、第１暖房放熱体１４の暖房の開始要求と暖房レベルを認識し、熱源機３０を起動して暖房熱媒を加熱し、第１暖房循環ポンプ４１を起動して暖房熱媒の循環を開始し、第１開閉弁１２を開状態に制御し、第２開閉弁２２を閉状態に制御し、第１流路切替弁１６を、第１暖房放熱後混合配管１５から流入された暖房熱媒を暖房配管混合手段４６に向けて吐出する側に制御する。
なお、この場合では、熱源機制御手段３１は、第２流路切替弁２６をどちらの側に制御してもよいので、例えば、第２暖房放熱後混合配管２５から流入された暖房熱媒を暖房配管混合手段４６に向けて吐出する側に制御する。
【００３４】
（２）第２暖房放熱体２４のみを暖房運転。
例えば、利用者は、運転状態設定手段１１を操作して、第２暖房放熱体２４のみの暖房運転の開始と、暖房レベル（強、中、弱や、暖房温度等）を入力指示する。この場合、第１暖房放熱体１４の暖房運転の要求は無い。
上記の入力指示に基づいた運転情報は、運転状態設定手段１１から熱源機制御手段３１に送信される。
例えば、熱源機制御手段３１は、第２暖房放熱体２４の暖房の開始要求と暖房レベルを認識し、熱源機３０を起動して暖房熱媒を加熱し、第１暖房循環ポンプ４１を起動して暖房熱媒の循環を開始し、第１開閉弁１２を閉状態に制御し、第２開閉弁２２を開状態に制御し、第２流路切替弁２６を、第２暖房放熱後混合配管２５から流入された暖房熱媒を暖房配管混合手段４６に向けて吐出する側に制御する。
なお、この場合では、熱源機制御手段３１は、第１流路切替弁１６をどちらの側に制御してもよいので、例えば、第１暖房放熱後混合配管１５から流入された暖房熱媒を暖房配管混合手段４６に向けて吐出する側に制御する。
【００３５】
（３）熱源機に対して、第１暖房放熱体１４と第２暖房放熱体２４を並列に接続した暖房運転（並列暖房運転）。
例えば、利用者は、運転状態設定手段１１を操作して、第１暖房放熱体１４の暖房運転の開始と、暖房レベル（強、中、弱や、暖房温度等）を入力指示し、第２暖房放熱体２４の暖房運転の開始と、暖房レベル（強、中、弱や、暖房温度等）を入力指示する。
上記の入力指示に基づいた運転状態設定手段１１からの運転情報は、運転状態設定手段１１から熱源機制御手段３１に送信される。
例えば、熱源機制御手段３１は、第１暖房放熱体１４の暖房の開始要求と暖房レベルと、第２暖房放熱体２４の暖房の開始要求と暖房レベルと、を認識し、熱源機３０を起動して暖房熱媒を加熱し、第１暖房循環ポンプ４１を起動して暖房熱媒の循環を開始し、第１開閉弁１２を開状態に制御し、第２開閉弁２２を開状態に制御し、第１流路切替弁１６を、第１暖房放熱後混合配管１５から流入された暖房熱媒を暖房配管混合手段４６に向けて吐出する側に制御し、第２流路切替弁２６を、第２暖房放熱後混合配管２５から流入された暖房熱媒を暖房配管混合手段４６に向けて吐出する側に制御する。
例えば熱源機制御手段３１は、上記のように第１暖房放熱体１４と第２暖房放熱体２４の並列の暖房運転を開始してから第２所定時間（例えば１時間程度）は、並列の暖房運転を維持し、第２所定時間が経過後は、下記の（４）の第１直列暖房運転と、（５）の第２直列暖房運転とを、第１所定時間毎（例えば１０分程度）に交互に切り替えながら暖房運転するようにしてもよい。
第２所定時間の間、並列して暖房運転を行うことで、より短時間に目標暖房レベルに到達させることができる。そして熱源機制御手段３１は、第２所定時間が経過後は、並列の暖房運転から、後述する（４）の第１直列暖房運転と、（５）の第２直列暖房運転とを、第１所定時間毎に交互に切り替えながら暖房運転することで、より効率良く暖房を維持するとともに、第１暖房放熱体１４と第２暖房放熱体２４による暖房を、より均一に行うことができる。
【００３６】
（４）熱源機に対して、第１暖房放熱体１４と第２暖房放熱体２４を直列に接続した暖房運転であって、先に第１暖房放熱体１４に暖房熱媒を流通させる暖房運転（第１直列暖房運転）。
例えば上記の「（３）熱源機に対して、第１暖房放熱体１４と第２暖房放熱体２４を並列に接続した暖房運転（並列暖房運転）。」を開始してから第２所定時間が経過後、第１所定時間の間、下記の第１直列暖房運転を行い、第１直列暖房運転を開始してから第１所定時間が経過後は、「（５）熱源機に対して、第２暖房放熱体２４と第１暖房放熱体１４を直列に接続した暖房運転であって、先に第２暖房放熱体２４に暖房熱媒を流通させる暖房運転（第２直列暖房運転）。」に切り替え、第１所定時間毎に第１直列暖房運転と第２直列暖房運転とを交互に切り替えて暖房する。
第１直列暖房運転では、熱源機制御手段３１は、第１開閉弁１２を開状態に制御し、第２開閉弁２２を閉状態に制御し、第１流路切替弁１６を、第１暖房放熱後混合配管１５から流入された暖房熱媒を第１暖房バイパス配管６１に向けて吐出する側へと制御し、第２流路切替弁２６を、第２暖房放熱後混合配管２５から流入された暖房熱媒を暖房配管混合手段４６に向けて吐出する側に制御する。
【００３７】
（５）熱源機に対して、第２暖房放熱体２４と第１暖房放熱体１４を直列に接続した暖房運転であって、先に第２暖房放熱体２４に暖房熱媒を流通させる暖房運転（第２直列暖房運転）。
例えば上記の「（４）熱源機に対して、第１暖房放熱体１４と第２暖房放熱体２４を直列に接続した暖房運転であって、先に第１暖房放熱体１４に暖房熱媒を流通させる暖房運転（第１直列暖房運転）。」を開始してから第１所定時間が経過後、第１所定時間の間、下記の第２直列暖房運転を行い、第２直列暖房運転を開始してから第１所定時間が経過後は、「（４）熱源機に対して、第１暖房放熱体１４と第２暖房放熱体２４を直列に接続した暖房運転であって、先に第１暖房放熱体１４に暖房熱媒を流通させる暖房運転（第１直列暖房運転）。」に切り替え、第１所定時間毎に第１直列暖房運転と第２直列暖房運転とを交互に切り替えて暖房する。
第２直列暖房運転では、熱源機制御手段３１は、第１開閉弁１２を閉状態に制御し、第２開閉弁２２を開状態に制御し、第１流路切替弁１６を、第１暖房放熱後混合配管１５から流入された暖房熱媒を暖房配管混合手段４６に向けて吐出する側に制御し、第２流路切替弁２６を、第２暖房放熱後混合配管２５から流入された暖房熱媒を第２暖房バイパス配管６２に向けて吐出する側へと制御する。
【００３８】
以上のように、第１暖房放熱体１４と第２暖房放熱体２４を用いて、それぞれ個別に暖房することや、並列に暖房することや、直列に暖房することが可能となり、利用者の所望する暖房状態に応じて、より快適に、且つより効率良く暖房することが可能であり、熱源機の暖房運転効率をより向上させることができる。
以上の説明では、第１暖房放熱体１４と第２暖房放熱体２４の暖房運転（同時運転）を行う場合、第２所定時間が経過するまでは、並列暖房運転を行い、第２所定時間を経過後では、第１所定時間毎に、第１直列暖房運転と第２直列暖房運転とを交互に切り替えながら暖房を行う例を説明したが、例えばどちらの要求暖房レベルも非常に高い場合は並列暖房運転の状態を維持するようにしてもよい。また、第２暖房放熱体２４の要求暖房レベルが第１暖房放熱体１４の要求暖房レベルよりも低い場合は第１直列暖房運転を維持するようにしてもよいし、第１暖房放熱体１４の要求暖房レベルが第２暖房放熱体２４の要求暖房レベルよりも低い場合は第２直列暖房運転を維持するようにしてもよい。
【００３９】
●［第２の実施の形態の暖房システム１Ｂ（図２）］
次に図２を用いて、第２の実施の形態の暖房システム１Ｂについて説明する。図２に示す第２の実施の形態の暖房システム１Ｂは、図１に示す第１の実施の形態の暖房システム１Ａに対して、第２暖房循環ポンプ４２が追加されている点が異なる。以下、この相違点について主に説明する。
【００４０】
第２暖房循環ポンプ４２は、暖房加熱後配管３５あるいは暖房放熱後配管３６のいずれかの位置に設けられている。また第２暖房循環ポンプ４２は、熱源機制御手段３１からの制御信号に基づいて駆動され、暖房放熱後配管３６から暖房熱媒を熱源機３０に流入させ、燃焼熱交換器３３にて加熱した暖房熱媒を暖房加熱後配管３５から吐出するように、暖房熱媒を循環させ、第１暖房循環ポンプ４１による暖房熱媒の循環を補うように駆動される。
【００４１】
例えば、熱源機制御手段３１は、第１暖房放熱体１４のみを暖房運転する場合や、第２暖房放熱体２４のみを暖房運転する場合では、放熱量が比較的少なく、暖房熱媒の循環流量が比較的少ないので、第１暖房循環ポンプ４１のみを駆動する。
また熱源機制御手段３１は、第１暖房放熱体１４と第２暖房放熱体２４を並列に暖房運転する場合や、第１暖房放熱体１４と第２暖房放熱体２４を直列に暖房運転する場合では、放熱量が比較的多く、暖房熱媒の循環流量が比較的多いので、第１暖房循環ポンプ４１と第２暖房循環ポンプ４２の双方を駆動する。
【００４２】
例えば、第１暖房放熱体１４のみが敷設された既存の暖房システムが設置されていた住宅に、あとから追加工事を行って図２に示すような暖房システムとした場合（第２暖房放熱体２４等を追加した場合）、既存の第１暖房循環ポンプ４１では能力が不足するような場合であっても、第２暖房循環ポンプ４２を追加することで、第１暖房循環ポンプ４１を交換することなく第１暖房循環ポンプ４１の能力を補うことができる。
【００４３】
●［第３の実施の形態の暖房システム１Ｃ（図３）］
次に図３を用いて、第３の実施の形態の暖房システム１Ｃについて説明する。図３に示す第３の実施の形態の暖房システム１Ｃは、図１に示す第１の実施の形態の暖房システム１Ａに対して、第３暖房バイパス配管６３と第３暖房循環ポンプ４３が追加されている点が異なる。以下、この相違点について主に説明する。
【００４４】
第３暖房バイパス配管６３は、暖房放熱後配管３６のいずれかの位置と、暖房加熱後配管３５のいずれかの位置と、に接続されている。
第３暖房循環ポンプ４３は、第３暖房バイパス配管６３のいずれかの位置に設けられている。また第３暖房循環ポンプ４３は、熱源機制御手段３１からの制御信号に基づいて駆動され、駆動された場合は、暖房放熱後配管３６からの暖房熱媒の少なくとも一部を暖房加熱後配管３５に導くことが可能である。なお、第３暖房循環ポンプ４３が停止している場合、暖房熱媒は第３暖房バイパス配管６３に流入することはない。
【００４５】
例えば、熱源機制御手段３１は、第１暖房放熱体１４のみを暖房運転する場合や、第２暖房放熱体２４のみを暖房運転する場合では、放熱量が比較的少なく、暖房熱媒の循環流量が比較的少ないので、第１暖房循環ポンプ４１のみを駆動する。また熱源機制御手段３１は、第１暖房放熱体１４と第２暖房放熱体２４を並列に暖房運転する場合や、第１暖房放熱体１４と第２暖房放熱体２４を直列に暖房運転する場合では、放熱量が比較的多く、暖房熱媒の循環流量が比較的多いので、第１暖房循環ポンプ４１と第３暖房循環ポンプ４３の双方を駆動する。
【００４６】
例えば、第１暖房放熱体１４のみが敷設された既存の暖房システムが設置されていた住宅に、あとから追加工事を行って図３に示すような暖房システムとした場合（第２暖房放熱体２４等を追加した場合）、既存の第１暖房循環ポンプ４１では能力が不足するような場合であっても、第３暖房バイパス配管６３と第３暖房循環ポンプ４３を追加することで、第１暖房循環ポンプ４１を交換することなく第１暖房循環ポンプ４１の能力を補うことができる。
【００４７】
●［第４の実施の形態の暖房システム１Ｄ（図４）］
次に図４を用いて、第４の実施の形態の暖房システム１Ｄについて説明する。図４に示す第４の実施の形態の暖房システム１Ｄは、図１に示す第１の実施の形態の暖房システム１Ａに対して、第１温度検出手段４８Ａ、４８Ａ´が追加されている点が異なる。以下、この相違点について主に説明する。
【００４８】
第１温度検出手段４８Ａは、第１暖房放熱後混合配管１５における第１暖房放熱体１４と第１流路切替弁１６との間のいずれかの位置に設けられており、当該位置における暖房熱媒の温度に応じた検出信号を熱源機制御手段３１に出力する。
熱源機制御手段３１は、第１温度検出手段４８Ａからの検出信号に基づいて、第１温度検出手段４８Ａが設けられている位置の暖房熱媒の温度を認識することができる。
第１温度検出手段４８Ａ´は、第２暖房放熱後混合配管２５における第２暖房放熱体２４と第２流路切替弁２６との間のいずれかの位置に設けられており、当該位置における暖房熱媒の温度に応じた検出信号を熱源機制御手段３１に出力する。
熱源機制御手段３１は、第１温度検出手段４８Ａ´からの検出信号に基づいて、第１温度検出手段４８Ａ´が設けられている位置の暖房熱媒の温度を認識することができる。
そして熱源機制御手段３１は、第１暖房放熱体１４と第２暖房放熱体２４の双方を暖房運転する場合、例えば、経過時間条件に基づいて並列の暖房運転と直列の暖房運転を切り替える代わりに、検出した暖房熱媒の温度に基づいて、下記の（３）、（３−１）、（３−２）、（４）、（５）のように、並列に暖房運転するか、直列に暖房運転するか、を切り替える。
なお、「（１）第１暖房放熱体１４のみを暖房運転。」する場合と「（２）第２暖房放熱体２４のみを暖房運転。」する場合は、第１の実施の形態と同様であるので、説明を省略する。
【００４９】
（３）熱源機に対して、第１暖房放熱体１４と第２暖房放熱体２４を並列に接続した暖房運転（並列暖房運転）。
この場合、例えば、熱源機制御手段３１は、第１暖房放熱体１４の暖房の開始要求と暖房レベルと、第２暖房放熱体２４の暖房の開始要求と暖房レベルと、を認識し、第２所定時間が経過後、または要求暖房レベルに達するまでは、並列暖房運転を行う。
熱源機制御手段３１は、熱源機３０を起動して暖房熱媒を加熱し、第１暖房循環ポンプ４１を起動して暖房熱媒の循環を開始し、第１開閉弁１２を開状態に制御し、第２開閉弁２２を開状態に制御し、第１流路切替弁１６を、第１暖房放熱後混合配管１５から流入された暖房熱媒を暖房配管混合手段４６に向けて吐出する側に制御し、第２流路切替弁２６を、第２暖房放熱後混合配管２５から流入された暖房熱媒を暖房配管混合手段４６に向けて吐出する側に制御する。
【００５０】
（３−１）第１暖房放熱体１４の要求暖房レベルのほうが第２暖房放熱体２４の要求暖房レベルよりも高い場合
例えば、並列暖房運転時において、熱源機制御手段３１は、第１温度検出手段４８Ａからの検出信号に基づいて検出した暖房熱媒の温度と、第２暖房放熱体２４の要求暖房レベルに基づいて、検出した暖房熱媒の温度が、第１直列暖房運転（第１暖房放熱体１４を先に暖房）した場合であっても第２暖房放熱体２４を要求暖房レベルまで暖房可能な温度であると判定した場合、並列暖房運転から第１直列暖房運転（第１暖房放熱体１４を先に暖房）へと切り替える。
なお、熱源機制御手段３１は、第１温度検出手段４８Ａからの検出信号に基づいて検出した暖房熱媒の温度と、第２暖房放熱体２４の要求暖房レベルに基づいて、検出した暖房熱媒の温度が、第１直列暖房運転を行った場合には第２暖房放熱体２４にて要求暖房レベルまで暖房することが困難な温度であると判定した場合、並列暖房運転を維持する。
【００５１】
また、熱源機制御手段３１は、第１暖房放熱体１４にて先に暖房する第１直列暖房運転を実施中に、第１温度検出手段４８Ａからの検出信号に基づいて検出した暖房熱媒の温度と、第２暖房放熱体２４の要求暖房レベルに基づいて、検出した暖房熱媒の温度が、直列に暖房した第２暖房放熱体２４を要求暖房レベルまで暖房可能な温度であると判定した場合は、第１暖房放熱体１４にて先に暖房する第１直列暖房運転を維持する。
また、熱源機制御手段３１は、第１暖房放熱体１４にて先に暖房する第１直列暖房運転を実施中に、第１温度検出手段４８Ａからの検出信号に基づいて検出した暖房熱媒の温度と、第２暖房放熱体２４の要求暖房レベルに基づいて、検出した暖房熱媒の温度が、直列に暖房した第２暖房放熱体２４を要求暖房レベルまで暖房可能な温度に達していないと判定した場合は、第１暖房放熱体１４にて先に暖房する第１直列暖房運転から並列暖房運転へと戻す。
そして並列暖房運転に戻した場合は、第２所定時間の計測を再開する。なお、並列暖房運転から第１直列暖房運転へ切り替える回数を所定回数に制限するようにしてもよい。
【００５２】
（３−２）第２暖房放熱体２４の要求暖房レベルのほうが第１暖房放熱体１４の要求暖房レベルよりも高い場合
例えば、並列暖房運転時において、熱源機制御手段３１は、第１温度検出手段４８Ａ´からの検出信号に基づいて検出した暖房熱媒の温度と、第１暖房放熱体１４の要求暖房レベルに基づいて、検出した暖房熱媒の温度が、第２直列暖房運転（第２暖房放熱体２４を先に暖房）した場合であっても第１暖房放熱体１４を要求暖房レベルまで暖房可能な温度であると判定した場合、並列暖房運転から第２直列暖房運転（第２暖房放熱体２４を先に暖房）へと切り替える。
なお、熱源機制御手段３１は、第１温度検出手段４８Ａ´からの検出信号に基づいて検出した暖房熱媒の温度と、第１暖房放熱体１４の要求暖房レベルに基づいて、検出した暖房熱媒の温度が、第２直列暖房運転を行った場合には第１暖房放熱体１４にて要求暖房レベルまで暖房することが困難な温度であると判定した場合、並列暖房運転を維持する。
【００５３】
また、熱源機制御手段３１は、第２暖房放熱体２４にて先に暖房する第２直列暖房運転を実施中に、第１温度検出手段４８Ａ´からの検出信号に基づいて検出した暖房熱媒の温度と、第１暖房放熱体１４の要求暖房レベルに基づいて、検出した暖房熱媒の温度が、直列に暖房した第１暖房放熱体１４を要求暖房レベルまで暖房可能な温度であると判定した場合は、第２暖房放熱体２４にて先に暖房する第２直列暖房運転を維持する。
また、熱源機制御手段３１は、第２暖房放熱体２４にて先に暖房する第２直列暖房運転を実施中に、第１温度検出手段４８Ａ´からの検出信号に基づいて検出した暖房熱媒の温度と、第１暖房放熱体１４の要求暖房レベルに基づいて、検出した暖房熱媒の温度が、直列に暖房した第１暖房放熱体１４を要求暖房レベルまで暖房可能な温度に達していないと判定した場合は、第２暖房放熱体２４にて先に暖房する第２直列暖房運転から並列暖房運転へと戻す。
そして並列暖房運転に戻した場合は、第２所定時間の計測を再開する。なお、並列暖房運転から第２直列暖房運転へ切り替える回数を所定回数に制限するようにしてもよい。
【００５４】
（４）熱源機に対して、第１暖房放熱体１４と第２暖房放熱体２４を直列に接続した暖房運転であって、先に第１暖房放熱体１４に暖房熱媒を流通させる暖房運転（第１直列暖房運転）。
例えば上記の（３−１）にて、熱源機制御手段３１が、第１暖房放熱体１４を先に暖房運転する第１直列暖房運転へと切り替える、と判断した場合、熱源機制御手段３１は、第２開閉弁２２を開状態から閉状態へと切り替えて当該状態を維持し、第１流路切替弁１６を、第１暖房放熱後混合配管１５から流入された暖房熱媒を暖房配管混合手段４６に向けて吐出する側から、第１暖房放熱後混合配管１５から流入された暖房熱媒を第１暖房バイパス配管６１に向けて吐出する側へと切り替えて当該状態を維持する。
なお、第１開閉弁１２は開状態に制御され、第２流路切替弁２６は第２暖房放熱後混合配管２５から流入された暖房熱媒を暖房配管混合手段４６に向けて吐出する側に制御される。
【００５５】
（５）熱源機に対して、第２暖房放熱体２４と第１暖房放熱体１４を直列に接続した暖房運転であって、先に第２暖房放熱体２４に暖房熱媒を流通させる暖房運転（第２直列暖房運転）。
例えば上記の（３−２）にて、熱源機制御手段３１が、第２暖房放熱体２４を先に暖房運転する第２直列暖房運転へと切り替える、と判断した場合、熱源機制御手段３１は、第１開閉弁１２を開状態から閉状態へと切り替えて当該状態を維持し、第２流路切替弁２６を、第２暖房放熱後混合配管２５から流入された暖房熱媒を暖房配管混合手段４６に向けて吐出する側から、第２暖房放熱後混合配管２５から流入された暖房熱媒を第２暖房バイパス配管６２に向けて吐出する側へと切り替えて当該状態を維持する。
なお、第２開閉弁２２は開状態に制御され、第１流路切替弁１６は第１暖房放熱後混合配管１５から流入された暖房熱媒を暖房配管混合手段４６に向けて吐出する側に制御される。
【００５６】
なお、第１温度検出手段４８Ａと第１温度検出手段４８Ａ´は、少なくとも一方が設けられていればよい。
また、第１温度検出手段４８Ａが設けられていない場合であって第１暖房放熱体１４を先に暖房運転する第１直列暖房運転を行っている場合、第１暖房放熱体１４と第２暖房放熱体２４を暖房後の暖房熱媒の温度（第１温度検出手段４８Ａ´にて検出した暖房熱媒の温度）が、第２暖房放熱体２４の要求暖房レベルに対してあまりにも低い場合、並列暖房運転へと切り替えるようにしてもよい。
同様に、第１温度検出手段４８Ａ´が設けられていない場合であって第２暖房放熱体２４を先に暖房運転する第２直列暖房運転を行っている場合、第２暖房放熱体２４と第１暖房放熱体１４を暖房後の暖房熱媒の温度（第１温度検出手段４８Ａにて検出した暖房熱媒の温度）が、第１暖房放熱体１４の要求暖房レベルに対してあまりにも低い場合、並列暖房運転へと切り替えるようにしてもよい。
このように、第１開閉弁１２と第２開閉弁２２と第１流路切替弁１６と第２流路切替弁２６は、第１温度検出手段４８Ａ、４８Ａ´（の少なくとも一方）にて検出された暖房熱媒の温度に基づいた温度条件に応じて制御される。
【００５７】
●［第５の実施の形態の暖房システム１Ｅ（図５）］
次に図５を用いて、第５の実施の形態の暖房システム１Ｅについて説明する。図５に示す第５の実施の形態の暖房システム１Ｅは、図１に示す第１の実施の形態の暖房システム１Ａに対して、第２温度検出手段４８Ｂ、４８Ｂ´が追加されている点が異なる。以下、この相違点について主に説明する。
【００５８】
第２温度検出手段４８Ｂは、第２暖房加熱後分岐配管２３における第２開閉弁２２と第２暖房放熱体２４との間のいずれかの位置に設けられており、当該位置における暖房熱媒の温度に応じた検出信号を熱源機制御手段３１に出力する。
熱源機制御手段３１は、第２温度検出手段４８Ｂからの検出信号に基づいて、第２温度検出手段４８Ｂが設けられている位置の暖房熱媒の温度を認識することができる。
第２温度検出手段４８Ｂ´は、第１暖房加熱後分岐配管１３における第１開閉弁１２と第１暖房放熱体１４との間のいずれかの位置に設けられており、当該位置における暖房熱媒の温度に応じた検出信号を熱源機制御手段３１に出力する。
熱源機制御手段３１は、第２温度検出手段４８Ｂ´からの検出信号に基づいて、第２温度検出手段４８Ｂ´が設けられている位置の暖房熱媒の温度を認識することができる。
そして熱源機制御手段３１は、第１暖房放熱体１４と第２暖房放熱体２４の双方を暖房運転する場合、例えば、経過時間条件と、検出した暖房熱媒の温度に基づいて、下記のように、並列に暖房運転するか、直列に暖房運転するか、を切り替える。
なお、「（１）第１暖房放熱体１４のみを暖房運転。」する場合と「（２）第２暖房放熱体２４のみを暖房運転。」する場合は、第１の実施の形態と同様であるので、説明を省略する。
【００５９】
（３）熱源機に対して、第１暖房放熱体１４と第２暖房放熱体２４を並列に接続した暖房運転（並列暖房運転）。
この場合、第４の実施の形態の「（３）熱源機に対して、第１暖房放熱体１４と第２暖房放熱体２４を並列に接続した暖房運転（並列暖房運転）。」と同様であるので、説明を省略する。
【００６０】
（３−１）第１暖房放熱体１４の要求暖房レベルのほうが第２暖房放熱体２４の要求暖房レベルよりも高い場合
この場合、第４の実施の形態と同様であり、第１温度検出手段４８Ａからの検出信号に基づいて暖房熱媒の温度を検出する代わりに、第２温度検出手段４８Ｂからの検出信号に基づいて暖房熱媒の温度を検出する。
【００６１】
（３−２）第２暖房放熱体２４の要求暖房レベルのほうが第１暖房放熱体１４の要求暖房レベルよりも高い場合
この場合、第４の実施の形態と同様であり、第１温度検出手段４８Ａ´からの検出信号に基づいて暖房熱媒の温度を検出する代わりに、第２温度検出手段４８Ｂ´からの検出信号に基づいて暖房熱媒の温度を検出する。
【００６２】
なお、第２温度検出手段４８Ｂと第２温度検出手段４８Ｂ´は、少なくとも一方が設けられていればよい。
第２温度検出手段４８Ｂが設けられていない場合であって第１暖房放熱体１４にて先に暖房する第１直列暖房運転を行っている場合、第１暖房放熱体１４及び第２暖房放熱体２４にて暖房する前の暖房熱媒の温度（第２温度検出手段４８Ｂ´にて検出した暖房熱媒の温度）が、第１暖房放熱体１４の要求暖房レベルと第２暖房放熱体２４の要求暖房レベルに対して充分な温度でない場合、並列暖房運転へと切り替えるようにしてもよい。
同様に、第２温度検出手段４８Ｂ´が設けられていない場合であって第２暖房放熱体２４にて先に暖房する第２直列暖房運転を行っている場合、第２暖房放熱体２４及び第１暖房放熱体１４にて暖房する前の暖房熱媒の温度（第２温度検出手段４８Ｂにて検出した暖房熱媒の温度）が、第２暖房放熱体２４の要求暖房レベルと第１暖房放熱体１４の要求暖房レベルに対して充分な温度でない場合、並列暖房運転へと切り替えるようにしてもよい。
このように、第１開閉弁１２と第２開閉弁２２と第１流路切替弁１６と第２流路切替弁２６は、第２温度検出手段４８Ｂ、４８Ｂ´（の少なくとも一方）にて検出された暖房熱媒の温度に基づいた温度条件に応じて制御される。
【００６３】
●［第６の実施の形態の暖房システム１Ｆ（図６）］
次に図６を用いて、第６の実施の形態の暖房システム１Ｆについて説明する。図６に示す第６の実施の形態の暖房システム１Ｆは、図１に示す第１の実施の形態の暖房システム１Ａに対して、第３温度検出手段４８Ｃ、４８Ｃ´が追加されている点が異なる。以下、この相違点について主に説明する。
【００６４】
第３温度検出手段４８Ｃは、熱源機３０の内部に設けられており、外気温として熱源機３０内の温度に応じた検出信号を熱源機制御手段３１に出力する。
熱源機制御手段３１は、第３温度検出手段４８Ｃからの検出信号に基づいて、外気の温度を認識することができる。
第３温度検出手段４８Ｃ´は、熱源機３０の外部に設けられており、外気温として熱源機３０の外部の温度に応じた検出信号を熱源機制御手段３１に出力する。
熱源機制御手段３１は、第３温度検出手段４８Ｃ´からの検出信号に基づいて、外気の温度を認識することができる。
そして熱源機制御手段３１は、第１暖房放熱体１４と第２暖房放熱体２４の双方を暖房運転する場合、例えば、経過時間条件と、検出した外気の温度に基づいて、下記のように、並列に暖房運転するか、直列に暖房運転するか、を切り替える。
なお、「（１）第１暖房放熱体１４のみを暖房運転。」する場合と「（２）第２暖房放熱体２４のみを暖房運転。」する場合は、第１の実施の形態と同様であるので、説明を省略する。
【００６５】
例えば、熱源機制御手段３１は、第１暖房放熱体１４の暖房の開始要求と暖房レベルと、第２暖房放熱体２４の暖房の開始要求と暖房レベルと、を認識すると、第５の実施の形態と同様に、まず並列暖房運転を行う。
そして熱源機制御手段３１は、並列暖房運転の後、例えば、第３温度検出手段４８Ｃ、４８Ｃ´の少なくとも一方からの検出信号に基づいて検出した外気の温度が所定温度以上の場合、並列暖房運転から第１直列暖房運転または第２直列暖房運転へと切り替え、検出した外気の温度が所定温度未満の場合、並列暖房運転を維持する。
並列暖房運転から第１直列暖房運転または第２直列暖房運転へと切り替える場合、例えば、第１暖房放熱体１４の要求暖房レベルのほうが第２暖房放熱体２４の要求暖房レベルよりも高い場合は並列暖房運転から第１直列暖房運転に切り替え、第２暖房放熱体２４の要求暖房レベルのほうが第１暖房放熱体１４の要求暖房レベルよりも高い場合は並列暖房運転から第２直列暖房運転に切り替える。
また、第１暖房放熱体１４の要求暖房レベルと第２暖房放熱体２４の要求暖房レベルが同等である場合は、第１所定時間毎に第１直列暖房運転と第２直列暖房運転を交互に切り替えながら暖房運転するようにしてもよい。
【００６６】
このように、外気の温度に応じて並列暖房運転を行うべきか、第１直列暖房運転あるいは第２直列暖房運転を行うべきか、を適切に判断し、より快適に、且つより効率良く暖房することが可能である。
このように、第１開閉弁１２と第２開閉弁２２と第１流路切替弁１６と第２流路切替弁２６は、第３温度検出手段４８Ｃ、４８Ｃ´（の少なくとも一方）にて検出された外気の温度に基づいた温度条件に応じて制御される。
なお、第３温度検出手段４８Ｃと第３温度検出手段４８Ｃ´は、少なくとも一方が設けられていればよい。
【００６７】
●［第７の実施の形態の暖房システム１Ｇ（図７）］
次に図７を用いて、第７の実施の形態の暖房システム１Ｇについて説明する。図７に示す第７の実施の形態の暖房システム１Ｇは、図１に示す第１の実施の形態の暖房システム１Ａに対して、流路切替制御手段５０が追加されている点が異なる。以下、この相違点について主に説明する。
【００６８】
流路切替制御手段５０は、運転状態設定手段１１と無線または有線（通信線Ｔ１Ａ）にて通信可能に接続され、熱源機制御手段３１と無線または有線（通信線Ｔ１Ｂ）にて通信可能に接続され、第１運転状態設定手段１１と熱源機制御手段３１との間で送受信される通信情報を中継する。
また流路切替制御手段５０は、第１流路切替弁１６及び第２流路切替弁２６の動作を制御する制御信号を出力する。
【００６９】
流路切替制御手段５０は、運転状態設定手段１１と熱源機制御手段３１との間で通信情報を中継することで、第１暖房放熱体１４及び第２暖房放熱体２４の暖房運転の開始指示や要求暖房レベル、熱源機制御手段３１の制御状態等を認識することができる。
これにより、流路切替制御手段５０は、第１暖房放熱体１４のみの暖房運転、第２暖房放熱体２４のみの暖房運転、第１暖房放熱体１４と第２暖房放熱体２４の並列暖房運転、第１暖房放熱体１４と第２暖房放熱体２４の第１直列暖房運転、第２暖房放熱体２４と第１暖房放熱体１４の第２直列暖房運転、のいずれの暖房運転とするべきであるか適切に判断し、判断した暖房運転に応じて、第１流路切替弁１６及び第２流路切替弁２６を適切に制御することができる。
【００７０】
●［第８の実施の形態の暖房システム１Ｈ（図８）］
次に図８を用いて、第８の実施の形態の暖房システム１Ｈについて説明する。図８に示す第８の実施の形態の暖房システム１Ｈは、図７に示す第７の実施の形態の暖房システム１Ｇに対して、流路切替制御手段５１に、熱源機制御手段３１から第１開閉弁１２と第２開閉弁２２を制御する制御信号が入力され、流路切替制御手段５１から第１開閉弁１２と第２開閉弁２２を制御する制御信号を出力している点が異なる。以下、この相違点について主に説明する。
【００７１】
流路切替制御手段５１は、図７に示す第７の実施の形態と同様に、運転状態設定手段１１と熱源機制御手段３１との間で送受信される通信情報を中継する。
また、流路切替制御手段５１には、熱源機制御手段３１から第１開閉弁１２を制御していた第１開閉弁制御配線３１Ａと、第２開閉弁２２を制御していた第２開閉弁制御配線３１Ｂと、が入力されている。第１開閉弁制御配線３１Ａは第１開閉弁１２に接続されることなく流路切替制御手段５１に入力され、第２開閉弁制御配線３１Ｂは第２開閉弁２２に接続されることなく流路切替制御手段５１に入力されている。
例えば、流路切替制御手段５１は、熱源機制御手段３１に代わって、第１開閉弁制御配線３１Ａからの制御信号と、第２開閉弁制御配線３１Ｂからの制御信号と、中継した通信情報と、に基づいて、第１開閉弁１２と第２開閉弁２２と第１流路切替弁１６と第２流路切替弁２６と、を制御する。
【００７２】
図８に示す第８の実施の形態の流路切替制御手段５１は、図７に示す第７の実施の形態の流路切替制御手段５０と比較して、第１開閉弁と第２開閉弁の制御が追加されているので、第１暖房放熱体１４のみの暖房運転、第２暖房放熱体２４のみの暖房運転、第１暖房放熱体１４と第２暖房放熱体２４の並列暖房運転、第１暖房放熱体１４と第２暖房放熱体２４の第１直列暖房運転、第２暖房放熱体２４と第１暖房放熱体１４の第２直列暖房運転、のいずれの暖房運転を開始する際、または暖房運転を切り替える際、第１開閉弁１２と第２開閉弁２２と第１流路切替弁１６と第２流路切替弁２６の制御を、時間差等なく、より確実に制御することができる。
【００７３】
●［第９の実施の形態の暖房システム１Ｊ（図９）］
次に図９を用いて、第９の実施の形態の暖房システム１Ｊについて説明する。図９に示す第９の実施の形態の暖房システム１Ｊは、図７に示す第７の実施の形態の暖房システム１Ｇに対して、流路切替制御手段５２が、運転状態設定手段１１と熱源機制御手段３１との間で送受信される通信情報の中継を行わず、無線または有線（通信線Ｔ２）にて熱源機制御手段３１と通信情報を送受信できる点が異なる。以下、この相違点について主に説明する。
【００７４】
流路切替制御手段５２は、熱源機制御手段３１と無線または有線（通信線Ｔ２）にて接続されており、互いに通信情報を送受信可能であり、熱源機制御手段３１の制御状態を認識することができる。
また、流路切替制御手段５２は、図７に示す第７の実施の形態と同様に、第１流路切替弁１６及び第２流路切替弁２６を制御する制御信号を出力する。
【００７５】
例えば、流路切替制御手段５２は、熱源機制御手段３１からの通信情報に基づいて、熱源機制御手段３１の制御状態を認識し、熱源機制御手段３１が、第１暖房放熱体１４のみの暖房運転、第２暖房放熱体２４のみの暖房運転、第１暖房放熱体１４と第２暖房放熱体２４の並列暖房運転、第１暖房放熱体１４と第２暖房放熱体２４の第１直列暖房運転、第２暖房放熱体２４と第１暖房放熱体１４の第２直列暖房運転、のいずれの暖房運転を開始または行っているか、を認識する。そして流路切替制御手段５２は、受信した通信情報に基づいて認識した熱源機制御手段３１の制御状態に応じて、第１流路切替弁１６及び第２流路切替弁２６を制御する。
【００７６】
●［第１０の実施の形態の暖房システム１Ｋ（図１０）］
次に図１０を用いて、第１０の実施の形態の暖房システム１Ｋについて説明する。図１０に示す第１０の実施の形態の暖房システム１Ｋは、図９に示す第９の実施の形態の暖房システム１Ｊに対して、流路切替制御手段５３に、熱源機制御手段３１から第１開閉弁１２と第２開閉弁２２を制御する制御信号が入力され、流路切替制御手段５３から第１開閉弁１２と第２開閉弁２２を制御する制御信号を出力している点が異なる。以下、この相違点について主に説明する。
【００７７】
流路切替制御手段５３は、図９に示す第９の実施の形態と同様、熱源機制御手段３１と無線または有線（通信線Ｔ２）にて接続されており、互いに通信情報を送受信可能であり、熱源機制御手段３１の制御状態を認識することができる。
また、流路切替制御手段５３には、熱源機制御手段３１から第１開閉弁１２を制御していた第１開閉弁制御配線３１Ａと、第２開閉弁２２を制御していた第２開閉弁制御配線３１Ｂと、が入力されている。第１開閉弁制御配線３１Ａは第１開閉弁１２に接続されることなく流路切替制御手段５３に入力され、第２開閉弁制御配線３１Ｂは第２開閉弁２２に接続されることなく流路切替制御手段５３に入力されている。
例えば、流路切替制御手段５３は、熱源機制御手段３１に代わって、第１開閉弁制御配線３１Ａからの制御信号と、第２開閉弁制御配線３１Ｂからの制御信号と、受信した通信情報と、に基づいて、第１開閉弁１２と第２開閉弁２２と第１流路切替弁１６と第２流路切替弁２６と、を制御する。
【００７８】
図１０に示す第１０の実施の形態の流路切替制御手段５３は、図８に示す第８の実施の形態の流路切替制御手段５１と同様、第１開閉弁と第２開閉弁の制御が追加されているので、第１暖房放熱体１４のみの暖房運転、第２暖房放熱体２４のみの暖房運転、第１暖房放熱体１４と第２暖房放熱体２４の並列暖房運転、第１暖房放熱体１４と第２暖房放熱体２４の第１直列暖房運転、第２暖房放熱体２４と第１暖房放熱体１４の第２直列暖房運転、のいずれの暖房運転を開始する際、または暖房運転を切り替える際、第１開閉弁１２と第２開閉弁２２と第１流路切替弁１６と第２流路切替弁２６の制御を、時間差等なく、より確実に制御することができる。
【００７９】
●［第１１の実施の形態の暖房システム１Ｌ（図１１）］
次に図１１を用いて、第１１の実施の形態の暖房システム１Ｌについて説明する。
図１１に示す第１１の実施の形態の暖房システム１Ｌは、図４に示す第４の実施の形態の暖房システム１Ｄに、図２に示す第２の実施の形態の第２暖房循環ポンプ４２を追加し、図８に示す第８の実施の形態の流路切替制御手段５１に第１温度検出手段４８Ａ、４８Ａ´の検出信号の入力と、第２暖房循環ポンプ４２の出力を加えた流路切替制御手段５１Ａを追加した暖房システムである。
このように、各実施の形態をいくつか組み合わせた暖房システムを構築することも可能であり、組み合わせに使用した暖房システムの特徴を有している。
【００８０】
例えば図１１に示す暖房システム１Ｌでは、流路切替制御手段５１Ａは、熱源機制御手段３１と運転状態設定手段１１との通信を中継しており、運転状態設定手段１１からの、第１暖房放熱体１４の暖房指示や要求暖房レベルや、第２暖房放熱体２４の暖房指示や要求暖房レベル、熱源機制御手段３１の制御状態等を認識することが可能である。
そして流路切替制御手段５１Ａは、中継した通信情報に基づいて認識した情報と、第１温度検出手段４８Ａを用いて検出した暖房熱媒の温度と、第１温度検出手段４８Ａ´を用いて検出した暖房熱媒の温度等に基づいて、第１暖房放熱体１４のみの暖房運転、第２暖房放熱体２４のみの暖房運転、第１暖房放熱体１４と第２暖房放熱体２４の並列暖房運転、第１暖房放熱体１４と第２暖房放熱体２４の第１直列暖房運転、第２暖房放熱体２４と第１暖房放熱体１４の第２直列暖房運転、のいずれの暖房運転を行うべきかを判断する。
例えば、流路切替制御手段５１Ａは、第１開閉弁制御配線３１Ａからの制御信号と、第２開閉弁制御配線３１Ｂからの制御信号と、中継した通信情報と、第１温度検出手段４８Ａ、４８Ａ´を用いて検出した暖房熱媒の温度と、に基づいて、第１開閉弁１２と第２開閉弁２２と第１流路切替弁１６と第２流路切替弁２６と第２暖房循環ポンプ４２を制御する。
【００８１】
●［第１２の実施の形態の暖房システム１Ｍ（図１２）］
次に図１２を用いて、第１２の実施の形態の暖房システム１Ｍについて説明する。
図１２に示す第１２の実施の形態の暖房システム１Ｍは、図１１に示す第１１の実施の形態の暖房システム１Ｌに対して、流路切替制御手段５３Ａが、熱源機制御手段３１と第１運転状態設定手段１１との通信の中継を行わず、熱源機制御手段３１と無線または有線（通信線Ｔ２）にて通信情報を送受信可能である点が異なる。
図１２に示す第１２の実施の形態の暖房システム１Ｍは、図４に示す第４の実施の形態の暖房システム１Ｄに、図２に示す第２の実施の形態の第２暖房循環ポンプ４２を追加し、図１０に示す第１０の実施の形態の流路切替制御手段５３に第１温度検出手段４８Ａ、４８Ａ´の検出信号の入力と、第２暖房循環ポンプ４２の出力を加えた流路切替制御手段５３Ａである点が異なる。
このように、各実施の形態をいくつか組み合わせた暖房システムを構築することも可能であり、組み合わせに使用した暖房システムの特徴を有している。
【００８２】
例えば図１２に示す暖房システム１Ｍでは、流路切替制御手段５３Ａは、熱源機制御手段３１からの通信情報に基づいて、熱源機制御手段３１の制御状態等を認識することが可能である。
そして流路切替制御手段５３Ａは、受信した通信情報に基づいて認識した情報と、第１温度検出手段４８Ａを用いて検出した暖房熱媒の温度と、第１温度検出手段４８Ａ´を用いて検出した暖房熱媒の温度等に基づいて、第１暖房放熱体１４のみの暖房運転、第２暖房放熱体２４のみの暖房運転、第１暖房放熱体１４と第２暖房放熱体２４の並列暖房運転、第１暖房放熱体１４と第２暖房放熱体２４の第１直列暖房運転、第２暖房放熱体２４と第１暖房放熱体１４の第２直列暖房運転、のいずれの暖房運転を行うべきかを判断する。
例えば、流路切替制御手段５３Ａは、第１開閉弁制御配線３１Ａからの制御信号と、第２開閉弁制御配線３１Ｂからの制御信号と、受信した通信情報と、第１温度検出手段４８Ａ、４８Ａ´を用いて検出した暖房熱媒の温度と、に基づいて、第１開閉弁１２と第２開閉弁２２と第１流路切替弁１６と第２流路切替弁２６と第２暖房循環ポンプ４２を制御する。
【００８３】
本発明の暖房システムは、本実施の形態で説明した構成、動作等に限定されず、本発明の要旨を変更しない範囲で種々の変更、追加、削除が可能である。
また第１の実施の形態〜第１０の実施の形態の、いくつかを組み合わせた例として、第１１の実施の形態と第１２の実施の形態を示したが、複数の実施の形態を組み合わせた暖房システムは、第１１の実施の形態と第１２の実施の形態に限定されるものではなく、任意の実施の形態を組み合わせた暖房システムを構築することも可能である。
【符号の説明】
【００８４】
１Ａ〜１Ｈ、１Ｊ〜１Ｍ    暖房システム
１０    部屋
１１    運転状態設定手段
１２    第１開閉弁
１３    第１暖房加熱後分岐配管
１４    第１暖房放熱体
１５    第１暖房放熱後混合配管
１６    第１流路切替弁
２２    第２開閉弁
２３    第２暖房加熱後分岐配管
２４    第２暖房放熱体
２５    第２暖房放熱後混合配管
２６    第２流路切替弁
３０    熱源機
３１    熱源機制御手段
３１Ａ  第１開閉弁制御配線
３１Ｂ  第２開閉弁制御配線
４１    第１暖房循環ポンプ
４２    第２暖房循環ポンプ
４３    第３暖房循環ポンプ
４５    暖房配管分岐手段
４６    暖房配管混合手段
４８Ａ、４８Ａ´  第１温度検出手段
４８Ｂ、４８Ｂ´  第２温度検出手段
４８Ｃ、４８Ｃ´  第３温度検出手段
５０〜５３、５１Ａ、５３Ａ    流路切替制御手段
６１    第１暖房バイパス配管
６２    第２暖房バイパス配管
６３    第３暖房バイパス配管
Ｔ１、Ｔ２、Ｔ１Ａ、Ｔ１Ｂ    通信線
【図１】
2015075319.tif 000003
【図２】
2015075319.tif 000004
【図３】
2015075319.tif 000005
【図４】
2015075319.tif 000006
【図５】
2015075319.tif 000007
【図６】
2015075319.tif 000008
【図７】
2015075319.tif 000009
【図８】
2015075319.tif 000010
【図９】
2015075319.tif 000011
【図１０】
2015075319.tif 000012
【図１１】
2015075319.tif 000013
【図１２】
2015075319.tif 000014
【図１３】
2015075319.tif 000015